(57)【要約】【課題】互いに電気的に接続される端子間における高い接続信頼性を維持させることができ、しかも、コストを抑えつつ小型・低背化を図ることが可能な電源回路遮断装置を提供すること。【解決手段】メインスイッチ部ＭＳｗは、ハウジング１０の底面１０ａに沿って配列された一対の端子３０と、一対の端子３０に対してそれぞれ接点部が接触する方向に弾性的に付勢されて接触され、一対の端子３０同士を導通させる導通板５０と、一対の端子３０の配列方向に沿って移動可能に設けられた絶縁材料からなる絶縁板４０と、を有する。絶縁板４０は、レバー８０の回動操作によって、端子３０と導通板５０との接点部間に介在してメインスイッチ部ＭＳｗをオフ状態とする遮断位置と、接点部間から外れてメインスイッチ部ＭＳｗをオン状態とする通電位置との間で移動される。【選択図】図４
2020202173.tif 000002
【特許請求の範囲】
【請求項１】
ハウジングと、
前記ハウジング内に設けられたスイッチ部と、
前記スイッチ部をオン・オフ動作させる操作部材と、
を備え、
前記スイッチ部は、
前記ハウジングの底面に沿って配列された一対の端子と、
前記一対の端子に対してそれぞれ接点部が接触する方向に弾性的に付勢されて接触され、前記一対の端子同士を導通させる導通部材と、
前記一対の端子の配列方向に沿って移動可能に設けられた絶縁材料からなる絶縁移動部材と、
を有し、
前記絶縁移動部材は、前記操作部材の操作によって、前記端子と前記導通部材との接点部間に介在して前記スイッチ部をオフ状態とする遮断位置と、前記接点部間から外れて前記スイッチ部をオン状態とする通電位置との間で移動される
ことを特徴とする電源回路遮断装置。
【請求項２】
前記スイッチ部は、前記ハウジングにより区画形成されて周囲が覆われた収容空間内に収容されている
ことを特徴とする請求項１に記載の電源回路遮断装置。
【請求項３】
前記絶縁移動部材が前記通電位置に配置された通電状態においては前記スイッチ部とともにオン状態とされ、前記絶縁移動部材が前記遮断位置へ変位する途中で前記スイッチ部がオン状態に維持される仮遮断状態においてはオフ状態とされることによって前記スイッチ部の回路の通電を遮断するサブスイッチ部を備える
ことを特徴とする請求項１または請求項２に記載の電源回路遮断装置。
【請求項４】
前記端子及び前記導通部材は、前記遮断位置に配置された前記絶縁移動部材によって、互いの接触面が覆われる
ことを特徴とする請求項１〜３のいずれか一項に記載の電源回路遮断装置。
【請求項５】
前記操作部材は、前記ハウジングに回動可能に装着されるレバーを有し、
前記レバーの回動力によって、前記絶縁移動部材が移動される
ことを特徴とする請求項１〜４のいずれか一項に記載の電源回路遮断装置。
【請求項６】
前記レバーと前記ハウジングとの間には、前記ハウジングに対して前記レバーを遮断操作位置のみで離脱可能とするレバー外れ防止機構が設けられることを特徴とする請求項５に記載の電源回路遮断装置。
【請求項７】
前記レバー外れ防止機構は、
前記レバー及び前記ハウジングの何れか一方に設けられたガイド突起と、
前記レバー及び前記ハウジングの何れか他方に設けられ、前記ガイド突起に係合することで前記ハウジングに対して前記レバーを遮断操作位置のみで離脱可能とするガイド溝と、
を備えることを特徴とする請求項６に記載の電源回路遮断装置。
【発明の詳細な説明】
【技術分野】
【０００１】
本発明は、電源回路遮断装置に関する。
【背景技術】
【０００２】
例えば、電気自動車やハイブリッド車等の車両には、電気系統のメンテナンス等での作業安全性を確保するために、電源と負荷との間の通電を遮断するサービスプラグといわれる電源回路遮断装置が設けられる。
この種の電源回路遮断装置は、第１ハウジングと、第１ハウジングに対して着脱される第２ハウジングとを備え、例えば第１ハウジングに設けられた雌端子と第２ハウジングに設けられた雄端子とから電源スイッチが構成されたものがある（例えば、特許文献１参照）。
【０００３】
この電源回路遮断装置では、第１ハウジングに対して第２ハウジングが着脱されることで、雌端子に対して雄端子が挿抜され、電源スイッチがオン・オフ動作される。
【先行技術文献】
【特許文献】
【０００４】
【特許文献１】特開２０１２−２４３５５９号公報
【発明の概要】
【発明が解決しようとする課題】
【０００５】
ところで、上記の電源回路遮断装置では、第１ハウジングに対して第２ハウジングが着脱されるたびに雌端子に対して雄端子が挿抜されて接点部同士が摺動する。このため、第１ハウジングに対する第２ハウジングの着脱操作が繰り返されると、雌端子と雄端子との互いに摺動する接点部の表面が削れるおそれがある。また、互いの端子の表面に施したメッキが削れて下地部分が露出し、この露出部分が酸化して電気抵抗が増加し、信頼性が低下するおそれがある。
【０００６】
また、上記の電源回路遮断装置は、第１ハウジングに対して第２ハウジングが上下方向に移動して嵌合及び離脱することで、端子同士が接離する構造である。そこで、第２ハウジングは上下方向に移動ストロークが必要となり、電源回路遮断装置の高さ寸法が大きくなる。
【０００７】
本発明は、上述した事情に鑑みてなされたものであり、その目的は、互いに電気的に接続される端子間における高い接続信頼性を維持させることができ、しかも、コストを抑えつつ小型・低背化を図ることが可能な電源回路遮断装置を提供することにある。
【課題を解決するための手段】
【０００８】
本発明の上記目的は、下記構成により達成される。
（１）  ハウジングと、前記ハウジング内に設けられたスイッチ部と、前記スイッチ部をオン・オフ動作させる操作部材と、を備え、前記スイッチ部は、前記ハウジングの底面に沿って配列された一対の端子と、前記一対の端子に対してそれぞれ接点部が接触する方向に弾性的に付勢されて接触され、前記一対の端子同士を導通させる導通部材と、前記一対の端子の配列方向に沿って移動可能に設けられた絶縁材料からなる絶縁移動部材と、を有し、前記絶縁移動部材は、前記操作部材の操作によって、前記端子と前記導通部材との接点部間に介在して前記スイッチ部をオフ状態とする遮断位置と、前記接点部間から外れて前記スイッチ部をオン状態とする通電位置との間で移動される
ことを特徴とする電源回路遮断装置。
【０００９】
上記（１）の構成の電源回路遮断装置によれば、操作部材によって絶縁移動部材が移動されることで、互いに接触した端子と導通部材との接点部間に絶縁移動部材が挿抜されてスイッチ部がオン・オフ動作される。端子と導通部材との接点部間に挿抜される絶縁移動部材は、端子や導通部材より硬度が低い合成樹脂等の絶縁材料からなる。そこで、端子と導通部材との接点部間に絶縁移動部材が挿抜される際の端子及び導通部材へのダメージを極力抑えることができる。これにより、導電性金属材料からなる端子等の接点同士が摺動する場合と比べ、端子や導通部材の表面の削れを抑制することができ、削れた金属粉の発生を抑えることができる。特に、端子及び導通部材の表面にメッキ処理を施した場合では、そのメッキが剥がれて露出した下地が酸化して電気抵抗が増加するなどの不具合を抑えることができる。したがって、回路をオン・オフさせるスイッチ部の劣化を抑制して高い信頼性を維持させることができる。
また、本構成の電源回路遮断装置は、ハウジングの底面に沿って配列された端子の配列方向に沿って絶縁移動部材を移動させることでスイッチ部をオン・オフ動作させる構造である。したがって、本構成の電源回路遮断装置は、第１ハウジングと第２ハウジングが上下方向へ相対移動することで互いに嵌合及び離脱してスイッチ部がオン・オフ動作される従来構造の電源回路遮断装置と比べて小型・低背化を図ることができる。
【００１０】
（２）  前記スイッチ部は、前記ハウジングにより区画形成されて周囲が覆われた収容空間内に収容されていることを特徴とする上記（１）に記載の電源回路遮断装置。
【００１１】
上記（２）の構成の電源回路遮断装置によれば、ハウジングにより区画形成されて周囲が覆われた収容空間内にスイッチ部が収容されている。そこで、通電部分である端子や導通部材へのユーザによる接触が抑制されて安全性を確保することができる。これにより、本構成の電源回路遮断装置は、第１ハウジングに対して第２ハウジングが嵌合及び離脱してスイッチ部がオン・オフ動作される従来構造と比較し、通電部分に対する触指防止構造を不要にでき、構造の簡略化による低コスト化及び小型化が図れる。
【００１２】
（３）  前記絶縁移動部材が前記通電位置に配置された通電状態においては前記スイッチ部とともにオン状態とされ、前記絶縁移動部材が前記遮断位置へ変位する途中で前記スイッチ部がオン状態に維持される仮遮断状態においてはオフ状態とされることによって前記スイッチ部の回路の通電を遮断するサブスイッチ部を備えることを特徴とする上記（１）または（２）に記載の電源回路遮断装置。
【００１３】
上記（３）の構成の電源回路遮断装置によれば、絶縁移動部材が通電位置から遮断位置へ変位する途中の仮遮断状態のときには、サブスイッチ部がオフ状態とされて回路の通電が遮断されたスイッチ部はオン状態に維持される。したがって、サブスイッチ部に対してスイッチ部がオフ状態とされるタイミングを遅らせることで、回路の残留電流によるアークやスパーク等の発生を抑制することができる。
【００１４】
（４）  前記端子及び前記導通部材は、前記遮断位置に配置された前記絶縁移動部材によって、互いの接触面が覆われることを特徴とする上記（１）〜（３）のいずれか一つに記載の電源回路遮断装置。
【００１５】
上記（４）の構成の電源回路遮断装置によれば、遮断状態のときには絶縁移動部材によって端子と導通部材との接点部における接触面が覆われる。したがって、端子と導通部材とを相対的に移動させて接離させる従来構造と比べ、遮断状態における接点部の接触面の露出をなくし、接触面の酸化皮膜の形成や腐食を抑制できる。これにより、スイッチ部の信頼性を高めることができる。
【００１６】
（５）  前記操作部材は、前記ハウジングに回動可能に装着されるレバーを有し、前記レバーの回動力によって、前記絶縁移動部材が移動されることを特徴とする上記（１）〜（４）のいずれか一つに記載の電源回路遮断装置。
【００１７】
上記（５）の構成の電源回路遮断装置によれば、レバーを回動させることで、絶縁移動部材を軽い操作力で容易に移動させることができる。これにより、より操作性に優れた電源回路遮断装置を提供できる。
【００１８】
（６）  前記レバーと前記ハウジングとの間には、前記ハウジングに対して前記レバーを遮断操作位置のみで離脱可能とするレバー外れ防止機構が設けられることを特徴とする上記（５）に記載の電源回路遮断装置。
【００１９】
上記（６）の構成の電源回路遮断装置によれば、ハウジングに対して遮断操作位置のみでレバーを離脱可能とするレバー外れ防止機構が設けられる。そこで、ハウジングに対して遮断操作位置と通電操作位置との間で回動されるレバーは、ハウジングに対して着脱可能とすることができる。従って、遮断操作位置では、レバーのみがハウジングから離脱することができ、端子及び導通部材はハウジングにより覆われたままの状態となる。そこで、従来の電源回路遮断装置における第１ハウジングのように、第２ハウジングが離脱された際に露出する第１ハウジングの雌端子に対する触指防止構造が不要となる。また、レバーは、遮断操作位置以外の回動操作中に不用意に離脱してしまうことがない。
【００２０】
（７）  前記レバー外れ防止機構が、前記レバー及び前記ハウジングの何れか一方に設けられたガイド突起と、前記レバー及び前記ハウジングの何れか他方に設けられ、前記ガイド突起に係合することで前記ハウジングに対して前記レバーを遮断操作位置のみで離脱可能とするガイド溝と、を備えることを特徴とする上記（６）に記載の電源回路遮断装置。
【００２１】
上記（７）の構成の電源回路遮断装置によれば、ガイド突起と、ガイド突起の移動軌跡（レバーの着脱軌跡及び回動軌跡）に合うガイド溝とをレバー及びハウジングに設けるという簡単な構造で、レバー外れ防止機構を構成することができる。
【発明の効果】
【００２２】
本発明によれば、互いに電気的に接続される端子間における高い接続信頼性を維持させることができ、しかも、コストを抑えつつ小型・低背化を図ることが可能な電源回路遮断装置を提供できる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】本発明の第１実施形態に係る電源回路遮断装置を示す図であって、（ａ）は遮断状態における斜視図、（ｂ）は通電状態における斜視図である。
【図２】図１の（ａ）に示した遮断状態の電源回路遮断装置におけるハウジングからレバーを取り外した状態の斜視図である。
【図３】本第１実施形態に係る電源回路遮断装置の分解斜視図である。
【図４】図２におけるＡ−Ａ断面図である。
【図５】図１の（ａ）におけるＢ−Ｂ断面図である。
【図６】本第１実施形態に係る電源回路遮断装置の遮断状態を示す図であって、（ａ）は側面図、（ｂ）は長手方向に沿う断面図である。
【図７】本第１実施形態に係る電源回路遮断装置の通電状態を示す図であって、（ａ）は側面図、（ｂ）は長手方向に沿う断面図である。
【図８】本第１実施形態に係る電源回路遮断装置の仮遮断状態を示す図であって、（ａ）は側面図、（ｂ）は長手方向に沿う断面図である。
【図９】本発明の第２実施形態に係る電源回路遮断装置を示す図であって、（ａ）は遮断状態における斜視図、（ｂ）は通電状態における斜視図である。
【図１０】図９の（ａ）に示した遮断状態の電源回路遮断装置におけるハウジングからレバーを取り外した状態の斜視図である。
【図１１】本第２実施形態に係る電源回路遮断装置の遮断状態を示す側面図である。
【図１２】（ａ）及び（ｂ）は本第２実施形態に係る電源回路遮断装置の通電状態及び仮遮断状態を示す側面図である。
【発明を実施するための形態】
【００２５】
以下、本発明に係る実施の形態の例を、図面を参照して説明する。
図１は、本発明の第１実施形態に係る電源回路遮断装置１を示す図であって、図１の（ａ）は遮断状態における斜視図、図１の（ｂ）は通電状態における斜視図である。図２は、遮断状態の電源回路遮断装置１におけるハウジング１０からレバー８０を取り外した状態の斜視図である。
【００２６】
図１の（ａ），（ｂ）及び図２に示すように、本第１実施形態に係る電源回路遮断装置１は、ハウジング１０と、レバー（操作部材）８０とを備えている。レバー８０は、ハウジング１０に対して回動可能とされている。レバー８０は、ハウジング１０に対して、遮断操作位置（図１の（ａ）の位置）と、通電操作位置（図１の（ｂ）の位置）との間で回動される。また、このレバー８０は、遮断操作位置に配置された状態でハウジング１０に対して着脱可能とされている。
【００２７】
本第１実施形態の電源回路遮断装置１は、例えば、電気自動車やハイブリッド車などの車両において、電気系統のメンテナンス等での作業安全性を確保するため、電源部と負荷間の通電を遮断する、いわゆるサービスプラグである。具体的には、ハウジング１０に対してレバー８０が通電操作位置に配置されることで、電源部と負荷間が通電可能とされ、ハウジング１０に対してレバー８０が遮断操作位置に配置されると、電源部と負荷間の通電が遮断される。そして、遮断操作位置に配置されたレバー８０がハウジング１０から取り外されることで、電源部と負荷間の遮断状態が維持される。
【００２８】
図３は、本第１実施形態に係る電源回路遮断装置１の分解斜視図である。図４は、図２におけるＡ−Ａ断面図である。図５は、図１の（ａ）におけるＢ−Ｂ断面図である。
【００２９】
図３〜図５に示すように、ハウジング１０は、ケース１１とカバー６０とを備えている。ケース１１及びカバー６０は、電気絶縁性を有する合成樹脂材料から成形されている。ケース１１は、外周へ張り出すフランジ部１２を有している。このフランジ部１２には、ボルト挿通孔１２ａが形成されている。このボルト挿通孔１２ａに挿通させたボルト（図示略）を電源装置等のケースのボルト孔にねじ込むことで、ハウジング１０が電源装置等に取り付けられる。
【００３０】
ケース１１は、上方側が開放された収容筒部１３を有している。収容筒部１３は、平面視長方形状の角筒状に形成されている。この収容筒部１３は、一対の側板部１４と、一対の端板部１５とを有している。この収容筒部１３を構成する側板部１４には、支持軸１６が突設されている。また、側板部１４には、切込み１７が形成されている。切込み１７は、上下方向に沿って形成された挿通部１８と、この挿通部１８の下端から水平方向に沿って形成されたスライド部１９とを有するＬ字形に形成されている。また、収容筒部１３における側板部１４の一端寄りには、側方へ突出する一対のメインロック爪２１が形成されている。さらに、収容筒部１３の一端側の端板部１５には、その上縁に、一対のサブロック爪２２が形成されている。また、収容筒部１３を構成する側板部１４には、その内面側における収容筒部１３の四隅の近傍位置に、係止爪２３が形成されている。
【００３１】
ケース１１の一端側には、フランジ部１２から立設された端子台２５が形成されており、この端子台２５には、一対のサブ端子２６が設けられている。これらのサブ端子２６には、信号線３が接続されており、サブ端子２６は、端子台２５に対してケース１１の下方側から挿し込まれて装着される。
【００３２】
ケース１１の収容筒部１３には、一対の端子３０と、絶縁板（絶縁移動部材）４０と、導通板（導通部材）５０とが組付けられ、カバー６０により覆われている。
【００３３】
端子３０は、平面視略Ｌ字状に形成されており、収容筒部１３内に二つ組み込まれている。端子３０は、例えば、銅または銅合金等の導電性金属材料から形成されたバスバーからなるもので、これらの端子３０には、例えば、錫メッキ等の表面処理が施されている。
【００３４】
端子３０は、電線接続部３２を有しており、この電線接続部３２には、電源装置等から延びた電源線２が接続される。また、それぞれの端子３０は、電線接続部３２に対して直交する方向へ延びる端子片（接点部）３３を有している。端子片３３は、連結部３４を介して電線接続部３２に連設されており、電線接続部３２に対して上方に配置されている。これらの端子３０は、電源線２の端部の接続端子４の孔部４ａに挿し込んだボルト（図示略）にナット等の締結具３５を締結することで、収容筒部１３の底部に固定される。そして、これらの端子３０を収容筒部１３の底部に固定することで、端子片３３が収容筒部１３の底面１０ａに沿って間隔をあけて配列される。
【００３５】
絶縁板４０は、電気絶縁性を有する合成樹脂材料（絶縁材料）から形成された絶縁移動部材である。絶縁板４０は、平面視で矩形状の板状に形成されており、その両側部に係合ピン４１が突設されている。この絶縁板４０は、係合ピン４１を収容筒部１３の切込み１７の挿通部１８へ通しながら収容筒部１３の内部に組付けられる。収容筒部１３に絶縁板４０を組付けることで、絶縁板４０の係合ピン４１は、その端部が収容筒部１３の側板部１４の外面から突出される。
【００３６】
また、絶縁板４０は、収容筒部１３の内部に組付けられると、係合ピン４１が切込み１７のスライド部１９に沿って移動可能とされる。これにより、絶縁板４０は、スライド部１９内における係合ピン４１の移動可能な範囲でスライド可能とされる。具体的には、絶縁板４０は、収容筒部１３の内部に組み込まれた状態で、ケース１１の一端側へ向かう方向とケース１１の他端側へ向かう方向とへスライド可能とされる。そして、このケース１１の一端側へ向かう方向が遮断方向ＳＡとされ、ケース１１の他端側へ向かう方向が通電方向ＳＢとされている（図４参照）。絶縁板４０は、遮断方向ＳＡへスライドされてケース１１の一端側に配置された位置が遮断位置とされ、通電方向ＳＢへスライドされてケース１１の他端側に配置された位置が通電位置とされている。
【００３７】
絶縁板４０には、その中央に、表裏に貫通する窓部４２が形成されている。絶縁板４０は、窓部４２を挟んだ一端側及び他端側が、それぞれ遮蔽部４３とされている。これらの遮蔽部４３における遮断方向ＳＡ側の縁部には、それぞれガイド面４４が形成されている。これらのガイド面４４は、通電方向ＳＢ側へ向かって上方へ傾斜する傾斜面とされている。
【００３８】
また、絶縁板４０には、その上面に、スライド方向に沿う二つのガイド壁４５が形成されている。これらのガイド壁４５は、窓部４２を挟んだ両側部近傍に形成されている。
【００３９】
導通板５０は、平面視長方形状の板状に形成された導通部材である。この導通板５０は、例えば、銅または銅合金等の導電性金属材料から形成されたバスバーからなるもので、例えば、錫メッキ等の表面処理が施されている。導通板５０は、その両端部分に、下方へ湾曲して突出する接触片（接点部）５１を有している。これらの接触片５１は、絶縁板４０の厚みよりも大きな突出寸法を有している。
【００４０】
この導通板５０は、絶縁板４０のガイド壁４５同士の間隔よりも小さい幅寸法を有しており、絶縁板４０の上方側からガイド壁４５の間に配設される。
また、この導通板５０には、その中心に、保持孔５２が形成されている。この保持孔５２には、下方側から固定ボルト７１が挿通される。
【００４１】
カバー６０は、下方側が開放された箱状に形成されている。カバー６０は、上面板部６１と、一対の側面板部６２と、一対の端面板部６３とを有している。カバー６０は、その平面視において、ケース１１の収容筒部１３の内形よりも僅かに小さい外形を有しており、収容筒部１３に対して上方側から嵌合されて組付けられる。
【００４２】
カバー６０の側面板部６２には、両端近傍にロックアーム６５が形成されており、カバー６０を収容筒部１３内に組付けることで、ロックアーム６５が係止爪２３に係止される。これにより、収容筒部１３内に組付けられたカバー６０は、ロックアーム６５が係止爪２３によって係止されて収容筒部１３に組付けられた状態に維持される。また、カバー６０の側面板部６２には、一端寄りに、封止突起６６が形成されている。この封止突起６６は、収容筒部１３内にカバー６０が組付けられた際に、収容筒部１３に形成された切込み１７の挿通部１８に嵌合してこれを封止する。これにより、切込み１７へ挿通部１８から挿し込まれた絶縁板４０の係合ピン４１は、切込み１７から抜け止めされる。
【００４３】
また、カバー６０は、上面板部６１の内面側に、ナット固定部６７と、このナット固定部６７の周囲に隙間をあけて形成された環状保持壁６８とを有している。このナット固定部６７には、ナット７２がインサート成形されている。
【００４４】
カバー６０には、ナット固定部６７と環状保持壁６８との隙間に、圧縮コイルバネ７４が挿し込まれて収容保持されている。また、ナット固定部６７に固定されたナット７２には、導通板５０の保持孔５２に下方側から挿し込まれた固定ボルト７１がねじ込まれて締結されている。これにより、導通板５０は、圧縮コイルバネ７４の弾性付勢力に抗してカバー６０に対して接近する方向に変位可能に保持される。
【００４５】
このカバー６０がケース１１の収容筒部１３に組付けられると、カバー６０のナット固定部６７のナット７２に締結された固定ボルト７１は、頭部７１ａが絶縁板４０の窓部４２内に入り込む。そして、この状態で、固定ボルト７１の頭部７１ａは、頭部座面が絶縁板４０の遮蔽部４３の上面と面一または僅かに低い位置に配置される（図４参照）。
【００４６】
上記のハウジング１０に対してレバー８０が遮断操作位置に配置されて着脱可能とされた状態では、絶縁板４０が遮断位置に配置されている（図１の（ａ）参照）。この状態では、絶縁板４０の遮蔽部４３が端子３０の端子片３３と導通板５０の接触片５１との接点部間にそれぞれ介在され、一対の端子３０同士が非通電状態とされ、各端子３０に接続された電源線２同士が非接続状態とされている。そして、遮断操作位置では、レバー８０のみがハウジング１０から離脱することができ、端子３０や導通板５０はハウジング１０により覆われたままの状態となる。
【００４７】
そして、レバー８０の回動操作によって、遮断位置に配置されていた絶縁板４０が通電方向ＳＢへスライドされて通電位置に配置されると、絶縁板４０の各遮蔽部４３が端子３０の端子片３３と導通板５０の接触片５１との接点部間から抜き出される。これにより、圧縮コイルバネ７４によって一対の端子３０に対してそれぞれ接触する方向に弾性的に付勢されている導通板５０の接触片５１が、端子３０の端子片３３に接触する。これにより、一対の端子３０同士が導通板５０を介して通電状態とされ、各端子３０に接続された電源線２同士が電気的に接続される。
【００４８】
また、レバー８０の回動操作によって、通電位置に配置されていた絶縁板４０が遮断方向ＳＡへスライド移動されて遮断位置に配置されると、絶縁板４０の各遮蔽部４３が端子３０の端子片３３と導通板５０の接触片５１との接点部間に入り込んで介在する。これにより、一対の端子３０同士が非通電状態とされ、各端子３０に接続された電源線２同士が電気的に非接続状態とされる。この際、導通板５０は端子３０に接近する方向の圧縮コイルバネ７４の弾性付勢力に抗してカバー６０に接近する方向に変位することができ、絶縁板４０はスムーズにスライド移動することができる。
【００４９】
ハウジング１０に着脱されるレバー８０は、合成樹脂材料から成形されたもので、一対のアーム部８１と、連結部８２とを有する略Ｕ字状のレバーである。アーム部８１は、一端側が連結部８２によって連結されている。アーム部８１は、軸受孔８４を有しており、軸受孔８４には、ハウジング１０のケース１１に形成された支持軸１６が切欠き溝から挿入されて係合される。これにより、レバー８０は、ハウジング１０に装着されて支持軸１６の軸心を中心として回動可能とされる。
【００５０】
支持軸１６にはその先端部に、軸線と交差する収容筒部１３の上方へ延びる係止片１６ａが形成されている。また、アーム部８１の外面における軸受孔８４の開口縁には、係止凹部８４ａが凹設されている。そして、軸受孔８４に挿通された支持軸１６の係止片１６ａは、レバー８０がハウジング１０に対して着脱可能な遮断操作位置に配置されていない状態では係止凹部８４ａに係合してアーム部８１を抜け止めした状態となる。
【００５１】
更に、レバー８０の一対のアーム部８１には、内面側にカム溝８５が形成されている。ハウジング１０にレバー８０を装着することで、カム溝８５には、収容筒部１３に組付けられて切込み１７のスライド部１９の範囲で移動可能とされた係合ピン４１が係合される。
【００５２】
レバー８０は、遮断操作位置（図１の（ａ）参照）と通電操作位置（図１の（ｂ）参照）との間で回動操作されることで、カム溝８５に係合された係合ピン４１をスライド部１９の範囲で移動させる。これにより、絶縁板４０が収容筒部１３内でスライド移動される。
【００５３】
図４に示すように、レバー８０のアーム部８１には、連結部８２の近傍部分に、メインロック段部８６が形成されている。これらのメインロック段部８６には、ケース１１の収容筒部１３に形成されたメインロック爪２１が係合する。そして、このメインロック爪２１とメインロック段部８６とから、メインロック部ＭＲが構成されている（図１の（ａ）参照）。このメインロック部ＭＲは、レバー８０が通電操作位置に配置された状態でメインロック段部８６にメインロック爪２１が係合してハウジング１０に対してレバー８０をロックし、レバー８０の回動を規制する。そして、電源回路遮断装置１は、レバー８０が通電操作位置に配置されてメインロック部ＭＲでロックされた状態が通電状態とされる（図１の（ｂ）参照）。また、電源回路遮断装置１は、レバー８０が遮断操作位置に配置された状態が遮断状態とされる（図１の（ａ）参照）。
【００５４】
レバー８０の連結部８２には、二つのサブロック突部９１を有するサブロックアーム９２が形成されている。また、サブロックアーム９２には、サブロック解除部９３が形成されている。
【００５５】
サブロックアーム９２のサブロック突部９１は、ケース１１の収容筒部１３に形成されたサブロック爪２２に係止可能とされている。そして、このサブロック爪２２とサブロック突部９１とから、サブロック部ＳＲが構成されている（図４参照）。このサブロックＳＲは、レバー８０が通電操作位置から遮断操作位置へ向かう回動途中にサブロック突部９１がサブロック爪２２を係止し、レバー８０の回動を規制する。レバー８０は、通電操作位置から遮断操作位置へ向かう回動途中にサブロック部ＳＲでロックされる位置が仮遮断操作位置とされる。そして、電源回路遮断装置１は、レバー８０が仮遮断操作位置でロックされた状態が仮遮断状態とされる。この仮遮断状態において、サブロック解除部９３を押圧してサブロックアーム９２を弾性変形させることで、サブロック爪２２に対するサブロック突部９１の係止が解除される。これにより、仮遮断操作位置でロックされていたレバー８０は、再び遮断操作位置へ向かう回動が可能とされる。
【００５６】
また、レバー８０の連結部８２には、端子保持部９５が形成されており、この端子保持部９５には、ショート端子９６が保持されている。このショート端子９６は、一対のタブ部９７を有している。このショート端子９６の一対のタブ部９７は、ハウジング１０の一対のサブ端子２６にそれぞれ接続可能とされている。このショート端子９６の一対のタブ部９７が一対のサブ端子２６にそれぞれ接続されると、一対のサブ端子２６にそれぞれ接続された信号線３同士がショート端子９６を介して電気的に接続される。
【００５７】
上記電源回路遮断装置１では、端子３０の端子片３３と、絶縁板４０の遮蔽部４３と、導通板５０の接触片５１とからメインスイッチ部（スイッチ部）ＭＳｗが構成され、サブ端子２６とショート端子９６とからサブスイッチ部ＳＳｗが構成されている（図４及び図５参照）。メインスイッチ部ＭＳｗは、ケース１１とカバー６０とによって周囲が覆われた空間からなるハウジング１０の収容空間Ｓ内に収容されている。
【００５８】
本第１実施形態の電源回路遮断装置１を備えた電源装置等では、メインスイッチ部ＭＳｗがオン状態とされて一対の電源線２同士が電気的に接続されることで電源回路が形成され、サブスイッチ部ＳＳｗがオン状態とされて一対の信号線３同士が電気的に接続されることで信号回路が形成される。そして、電源回路遮断装置１を備えた電源装置等では、メインスイッチ部ＭＳｗがオン状態となって電源回路が形成されたとしても、サブスイッチ部ＳＳｗがオン状態となって信号回路が形成されない限り電源回路を通電状態としないように構成されている。つまり、メインスイッチ部ＭＳｗとサブスイッチ部ＳＳｗが共にオン状態となって初めて電源回路を通電状態とすることができる。
【００５９】
次に、電源回路遮断装置１の操作について説明する。
図６は、本第１実施形態に係る電源回路遮断装置１の遮断状態を示す図であって、図６の（ａ）は側面図、図６の（ｂ）は長手方向に沿う断面図である。図７は、本第１実施形態に係る電源回路遮断装置１の通電状態を示す図であって、図７の（ａ）は側面図、図７の（ｂ）は長手方向に沿う断面図である。図８は、本第１実施形態に係る電源回路遮断装置の仮遮断状態を示す図であって、図８の（ａ）は側面図、図８の（ｂ）は長手方向に沿う断面図である。
【００６０】
（通電操作）
まず、図６の（ａ），（ｂ）に示すように、絶縁板４０が遮断位置に配置された遮断状態のハウジング１０に対して、レバー８０を装着する。具体的には、レバー８０のアーム部８１の軸受孔８４に連通する切欠き溝をケース１１の支持軸１６に上方から係合させて遮断操作位置に配置させる。すると、レバー８０のアーム部８１のカム溝８５に係合ピン４１が入り込む。
【００６１】
次に、図７の（ａ），（ｂ）に示すように、レバー８０を通電操作位置へ向かって回動させる。すると、カム溝８５に入り込んだ係合ピン４１が切込み１７のスライド部１９に沿って変位されることで、遮断位置に配置されていた絶縁板４０が通電方向ＳＢへスライド移動される。これにより、絶縁板４０が通電位置に配置された通電状態となる。具体的には、絶縁板４０の遮蔽部４３が端子３０の端子片３３と導通板５０の接触片５１との接点部間から抜き出されて接触片５１が端子片３３に接触する。つまり、メインスイッチ部ＭＳｗがオン状態となり、一対の端子３０同士が導通板５０を介して導通され、各端子３０に接続された電源線２同士が電気的に接続される。また、ショート端子９６のタブ部９７がサブ端子２６に接続される。つまり、サブスイッチ部ＳＳｗがオン状態となり、サブ端子２６に接続された信号線３同士がショート端子９６を介して電気的に接続される。
【００６２】
また、遮断状態から通電状態とされることで、メインロック部ＭＲでは、レバー８０のメインロック段部８６がケース１１のメインロック爪２１に係止される。これにより、レバー８０が通電操作位置に配置された状態でロックされ、レバー８０の回動が規制される。このように、通電状態では、メインロック部ＭＲがレバー８０の回動を規制することで、通電状態が維持される。
【００６３】
（遮断操作）
通電操作位置（図７（ａ）（ｂ）参照）に配置されたレバー８０を把持して引き上げる。すると、レバー８０のメインロック段部８６がケース１１のメインロック爪２１から外れ、通電状態を維持するメインロック部ＭＲによるレバー８０のロックが解除され、レバー８０が回動可能となる。
【００６４】
回動可能となったレバー８０を遮断操作位置へ向かって回動させる。図８に示すように、回動させているレバー８０が仮遮断操作位置に達すると、サブロック部ＳＲを構成するサブロック突部９１がケース１１のサブロック爪２２を係止することで、レバー８０が仮遮断操作位置でロックされて回動が規制される。これにより、ハウジング１０が仮遮断状態とされる。
【００６５】
仮遮断状態とされると、各サブ端子２６からショート端子９６のタブ部９７がそれぞれ引き抜かれる。つまり、サブスイッチ部ＳＳｗがオフ状態とされ、信号線３同士の電気的接続が解除される。
【００６６】
なお、仮遮断状態では、導通板５０の接触片５１は、端子３０の端子片３３に対して継続して接触した状態とされて一対の端子３０同士が導通されている。つまり、メインスイッチ部ＭＳｗは継続してオン状態となり、端子３０に接続された電源線２同士の電気的接続状態が継続される。
【００６７】
この仮遮断状態からサブロック部ＳＲのサブロック解除部９３を押圧し、サブロック部ＳＲによるロックを解除する。そして、回動可能となったレバー８０を再び遮断操作位置へ向かって回動させる。すると、レバー８０の回動に伴って、カム溝８５内の係合ピン４１が切込み１７のスライド部１９に沿って変位し、通電位置に配置された絶縁板４０が遮断方向ＳＡへスライド移動される。これにより、絶縁板４０が遮断位置に配置された遮断状態となる（図６の（ａ），（ｂ）参照）。
【００６８】
このように、仮遮断状態から絶縁板４０が遮断位置へスライドされて遮断状態となると、絶縁板４０の遮蔽部４３が端子３０の端子片３３と導通板５０の接触片５１との接点部間に入り込み、接触片５１が遮蔽部４３のガイド面４４によって押上げられ、端子３０の端子片３３から引き離される。そして、接触片５１と端子片３３との接点部間に絶縁板４０の遮蔽部４３が介在し、一対の端子３０同士の導通が解除されてメインスイッチ部ＭＳｗがオフ状態とされ、一対の電源線２同士の電気的接続状態が解除される。
【００６９】
このように、本第１実施形態の電源回路遮断装置１によれば、メインスイッチ部ＭＳｗは、メインロック部ＭＲでレバー８０が通電操作位置に配置された通電状態（図７の（ａ），（ｂ）に示す状態）及びサブロック部ＳＲでレバー８０が仮遮断操作位置に配置された仮遮断状態（図８の（ａ），（ｂ）に示す状態）でオン状態とされる。そして、メインスイッチ部ＭＳｗは、レバー８０が遮断操作位置に配置された遮断状態（図６の（ａ），（ｂ）に示す状態）でオフ状態とされる。
また、サブスイッチ部ＳＳｗは、メインロック部ＭＲでレバー８０が通電操作位置に配置された通電状態（図７の（ａ），（ｂ）に示す状態）でオン状態とされる。そして、サブスイッチ部ＳＳｗは、サブロック部ＳＲでレバー８０が仮遮断操作位置に配置された仮遮断状態（図８の（ａ），（ｂ）に示す状態）及びレバー８０が遮断操作位置に配置された遮断状態（図６の（ａ），（ｂ）に示す状態）でオフ状態とされる。
【００７０】
したがって、サブスイッチ部ＳＳｗがオフ状態とされて一対の信号線３同士の電気的接続状態が解除された後、サブロック部ＳＲによるロックを解除しないと、メインスイッチ部ＭＳｗをオフ状態として一対の電源線２同士の電気的接続状態を解除することができない。これにより、一対の信号線３同士の接続解除直後にこれら電源線２同士の接続が解除されることで生じる残留電流によるアークやスパーク等の発生を抑制することができる。
【００７１】
以上、説明したように、本第１実施形態に係る電源回路遮断装置１によれば、レバー８０によって絶縁板４０がスライド移動されることで、互いに接触した端子３０の端子片３３と導通板５０の接触片５１との接点部間に絶縁板４０の遮蔽部４３が挿抜されてメインスイッチ部ＭＳｗがオン・オフ動作される。端子３０の端子片３３と導通板５０の接触片５１との接点部間に遮蔽部４３が挿抜される絶縁板４０は、端子３０や導通板５０より硬度が低い絶縁性材料である合成樹脂材料からなる。そこで、端子片３３と接触片５１との接点部間に絶縁板４０が挿抜される際の端子３０及び導通板５０へのダメージを極力抑えることができる。これにより、導電性金属材料からなる端子等の接点同士が摺動する場合と比べ、端子３０の端子片３３や導通板５０の接触片５１における表面の削れを抑制することができ、削れた金属粉の発生を抑えることができる。特に、端子３０及び導通板５０の表面にメッキ処理を施した場合では、そのメッキが剥がれて露出した下地が酸化して電気抵抗が増加するなどの不具合を抑えることができる。したがって、回路をオン・オフさせるメインスイッチ部ＭＳｗの劣化を抑制して高い信頼性を維持させることができる。
【００７２】
また、本第１実施形態の電源回路遮断装置１は、ハウジング１０の底面１０ａに沿って配列された端子３０の端子片３３の配列方向に沿って絶縁板４０をスライド移動させることでメインスイッチ部ＭＳｗをオン・オフ動作させる構造である。したがって、本構成の電源回路遮断装置１は、第１ハウジングと第２ハウジングが上下方向へ相対移動することで互いに嵌合及び離脱してスイッチ部がオン・オフ動作される従来構造の電源回路遮断装置と比べて小型・低背化を図ることができる。
【００７３】
また、本第１実施形態の電源回路遮断装置１によれば、ハウジング１０により区画形成されて周囲が覆われた収容空間Ｓ内にメインスイッチ部ＭＳｗが収容されている。そこで、通電部分である端子３０や導通板５０へのユーザによる接触が抑制されて安全性を確保することができる。これにより、本第１実施形態の電源回路遮断装置１は、第１ハウジングに対して第２ハウジングが嵌合及び離脱してスイッチ部がオン・オフ動作される従来構造と比較し、通電部分に対する触指防止構造を不要にでき、構造の簡略化による低コスト化及び小型化が図れる。
【００７４】
更に、本第１実施形態の電源回路遮断装置１によれば、絶縁板４０が通電位置から遮断位置へ変位する途中の仮遮断状態のときには、サブスイッチ部ＳＳｗがオフ状態とされて回路の通電が遮断されたメインスイッチ部ＭＳｗはオン状態に維持される。したがって、サブスイッチ部ＳＳｗに対してメインスイッチ部ＭＳｗがオフ状態とされるタイミングを遅らせることで、回路の残留電流によるアークやスパーク等の発生を抑制することができる。
【００７５】
また、本第１実施形態に係る電源回路遮断装置１によれば、遮断状態のときには絶縁板４０の遮蔽部４３によって端子３０の端子片３３と導通板５０の接触片５１との接触面が覆われる。したがって、端子３０と導通板５０とを相対的に移動させて接離させる従来構造と比べ、遮断状態における接点部の接触面の露出をなくし、接触面の酸化皮膜の形成や腐食を抑制できる。これにより、メインスイッチ部ＭＳｗの信頼性を高めることができる。
【００７６】
また、本第１実施形態に係る電源回路遮断装置１によれば、レバー８０を回動させることで、絶縁板４０を軽い操作力で容易にスライド移動させることができる。これにより、より操作性に優れた電源回路遮断装置１を提供できる。
【００７７】
図９は、本発明の第２実施形態に係る電源回路遮断装置１Ａを示す図であって、（ａ）は遮断状態における斜視図、（ｂ）は通電状態における斜視図である。図１０は、図９の（ａ）に示した遮断状態の電源回路遮断装置１Ａにおけるハウジング１０からレバー８０Ａを取り外した状態の斜視図である。図１１は、本第２実施形態に係る電源回路遮断装置１Ａの遮断状態を示す側面図である。図１２の（ａ）及び（ｂ）は、本第２実施形態に係る電源回路遮断装置１Ａの通電状態及び仮遮断状態を示す側面図である。
なお、上記第１実施形態に係る電源回路遮断装置１の構成部材と略同様の電源回路遮断装置１Ａの構成部材については、同符号を付して詳細な説明を省略する。
【００７８】
図９及び図１０に示すように、本第２実施形態に係る電源回路遮断装置１Ａは、ハウジング１０Ａと、レバー（操作部材）８０Ａとを備えている。
ハウジング１０Ａは、ケース１１Ａとカバー６０とを備えている。ケース１１Ａの収容筒部１３を構成する一対の側板部１４には、支持軸１６が突設されると共に、切込み１７が形成されている。更に、一対の側板部１４の外面側には、ガイド溝２０が形成されている。ガイド溝２０は、上下方向に沿って形成された挿通溝２０ａと、この挿通溝２０ａの下端から水平方向に沿って円弧状に延びる円弧溝２０ｂとを有する略Ｊ字形に形成されている。
【００７９】
ハウジング１０Ａに着脱されるレバー８０Ａは、合成樹脂材料から成形されたもので、一対のアーム部８１と、連結部８２とを有する略Ｕ字状のレバーである。アーム部８１は、軸受孔８４を有しており、軸受孔８４には、ハウジング１０Ａのケース１１Ａに形成された支持軸１６が切欠き溝から挿入されて係合される。これにより、レバー８０Ａは、ハウジング１０Ａに装着されて支持軸１６の軸心を中心として回動可能とされる。
【００８０】
本第２実施形態に係るレバー８０Ａの一対のアーム部８１には、カム溝８５Ａが形成されている。ハウジング１０Ａにレバー８０Ａを装着することで、カム溝８５Ａには、収容筒部１３に組付けられて切込み１７のスライド部１９の範囲で移動可能とされた係合ピン４１が係合される。
【００８１】
レバー８０Ａは、遮断操作位置（図９の（ａ）参照）と通電操作位置（図９の（ｂ）参照）との間で回動操作されることで、上記第１実施形態のレバー８０と同様に、カム溝８５Ａに係合された係合ピン４１をスライド部１９の範囲で移動させる。これにより、絶縁板４０が収容筒部１３内でスライド移動される。また、このレバー８０Ａは、図１０に示すように、遮断操作位置に配置された状態でハウジング１０Ａに対して着脱可能とされている。
【００８２】
更に、本第２実施形態に係る電源回路遮断装置１Ａにおけるレバー８０Ａとハウジング１０Ａとの間には、ハウジング１０Ａに対してレバー８０Ａを遮断操作位置のみで離脱可能とするレバー外れ防止機構が設けられている。
本第２実施形態のレバー外れ防止機構は、レバー８０Ａに設けられたガイド突起８７と、ハウジング１０Ａに設けられ、ガイド突起８７に係合することでハウジング１０Ａに対してレバー８０Ａを遮断操作位置のみで離脱可能とするガイド溝２０と、を備える。
【００８３】
図１０に示すように、レバー８０Ａの一対のアーム部８１には、内面側にガイド突起８７が形成されている。このガイド突起８７は、ハウジング１０Ａのケース１１Ａにおける一対の側板部１４に形成されたガイド溝２０に係合する。
【００８４】
即ち、ガイド溝２０の挿通溝２０ａは、ハウジング１０Ａにレバー８０Ａが着脱される際、ケース１１Ａに形成された支持軸１６がアーム部８１の切欠き溝から挿入されて軸受孔８４に係合される際のレバー８０Ａの上下方向の移動軌跡（レバーの着脱軌跡）に平行な直線状の溝である。
また、ガイド溝２０の円弧溝２０ｂは、支持軸１６の軸心を中心にレバー８０Ａが回動操作される際、アーム部８１に突設されたガイド突起８７の円弧状の移動軌跡（回動軌跡）に合う円弧状の溝である。
【００８５】
従って、図１１に示すように、レバー８０Ａが遮断操作位置に配置された状態では、レバー８０Ａのガイド突起８７が、アーム部８１の軸受孔８４に連通する切欠き溝と平行なガイド溝２０の挿通溝２０ａ内に位置しており、アーム部８１の切欠き溝に沿う上下方向に沿うレバー８０Ａの移動が可能とされる。そこで、レバー８０Ａは、ハウジング１０Ａに対して着脱自在となる。
【００８６】
そして、図１２の（ａ）に示すよう、レバー８０Ａが通電操作位置に配置された状態では、レバー８０Ａのガイド突起８７が、ガイド溝２０の円弧溝２０ｂ内に位置しており、アーム部８１の切欠き溝に沿うレバー８０Ａの離脱方向の移動が規制される。そこで、レバー８０Ａは、ハウジング１０Ａに対して離脱不可となり、不用意なレバー８０Ａの脱落が防止される。また、図１２の（ｂ）に示すよう、レバー８０Ａが仮遮断操作位置に配置された状態でも、レバー８０Ａのガイド突起８７が、ガイド溝２０の円弧溝２０ｂ内に位置している。そこで、レバー８０Ａは、アーム部８１の切欠き溝に沿う離脱方向の移動が規制され、ハウジング１０Ａに対して着脱不可となり、不用意なレバー８０Ａの脱落が防止される。
【００８７】
更に、本第２実施形態に係る電源回路遮断装置１Ａは、レバー８０Ａが通電操作位置に配置されてメインロック部ＭＲでロックされた状態が通電状態とされる（図９の（ｂ）参照）。また、電源回路遮断装置１Ａは、レバー８０Ａが遮断操作位置に配置された状態が遮断状態とされる（図９の（ａ）参照）。即ち、本第２実施形態に係る電源回路遮断装置１Ａの操作は、上記第１実施形態に係る電源回路遮断装置１の操作と同様である。従って、本第２実施形態に係る電源回路遮断装置１Ａは、上記第１実施形態に係る電源回路遮断装置１と同様に、互いに電気的に接続される端子間における高い接続信頼性を維持させることができ、しかも、コストを抑えつつ小型・低背化を図ることができる。
【００８８】
また、本第２実施形態に係る電源回路遮断装置１Ａには、ハウジング１０Ａに対して遮断操作位置のみでレバー８０Ａを離脱可能とするレバー外れ防止機構が設けられる。そこで、ハウジング１０Ａに対して遮断操作位置と通電操作位置との間で回動されるレバー８０Ａは、ハウジング１０Ａに対して着脱可能とすることができる。従って、遮断操作位置では、レバー８０Ａのみがハウジング１０Ａから離脱することができ、端子３０及び導通板５０はハウジング１０Ａにより覆われたままの状態となる。そこで、従来の電源回路遮断装置における第１ハウジングのように、第２ハウジングが離脱された際に露出する第１ハウジングの雌端子に対する触指防止構造が不要となる。また、レバー８０Ａは、遮断操作位置以外の回動操作中に不用意に離脱してしまうことがない。
【００８９】
また、本第２実施形態に係る電源回路遮断装置１Ａによれば、ガイド突起８７と、ガイド突起８７の移動軌跡（レバー８０Ａの着脱軌跡及び回動軌跡）に合うガイド溝２０とをレバー８０Ａ及びハウジング１０Ａに設けるという簡単な構造で、レバー外れ防止機構を構成することができる。
【００９０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００９１】
例えば、上記実施形態の電源回路遮断装置１，１Ａでは、ハウジング１０に対して回動される略Ｕ字状のレバー８０，８０Ａを操作部材として設けた。しかしながら、絶縁移動部材（絶縁板４０）を一対の端子の配列方向に沿って移動させることができる機構であれば、操作部材及び絶縁移動部材の構成は本発明の趣旨に基づいて種々の形態を採り得ることは勿論である。
【００９２】
なお、上記実施形態の電源回路遮断装置１，１Ａでは、導通部材である導通板５０を端子３０側へ付勢して接触片５１を端子片３３に押し付ける弾性部材として圧縮コイルバネ７４を設けた。しかしながら、本発明の電源回路遮断装置は、圧縮コイルバネ７４を設ける構造に限定されない。例えば、接触片５１の撓みストロークを十分確保できる場合には、導通板５０自体の弾性力で接触片５１を端子片３３に押し付ける構造とし、別体の弾性部材を省略する構成としてもよい。
また、レバー８０，８０Ａの万一の破損等により電源回路遮断装置１，１Ａが操作不能となった時の為に、絶縁板４０は、メインスイッチ部ＭＳｗがオフ状態となる遮断方向ＳＡへばね等の弾性部材によって付勢されていてもよい。
【００９３】
更に、上記第２実施形態の電源回路遮断装置１Ａでは、レバー８０Ａに設けられたガイド突起８７と、ハウジング１０Ａに設けられたガイド溝２０とによって、レバー外れ防止機構が構成されている。しかしながら、本発明のレバー外れ防止機構はこれに限らず、レバー及びハウジングの何れか一方に設けられたガイド突起と、レバー及びハウジングの何れか他方に設けられたガイド溝とが、レバーとハウジングとの間に設けられていればよい。
【００９４】
ここで、上述した本発明に係る電源回路遮断装置の実施形態の特徴をそれぞれ以下［１］〜［７］に簡潔に纏めて列記する。
［１］  ハウジング（１０，１０Ａ）と、
前記ハウジング（１０，１０Ａ）内に設けられたスイッチ部（メインスイッチ部ＭＳｗ）と、
前記スイッチ部（メインスイッチ部ＭＳｗ）をオン・オフ動作させる操作部材（レバー８０，８０Ａ）と、
を備え、
前記スイッチ部（メインスイッチ部ＭＳｗ）は、
前記ハウジング（１０，１０Ａ）の底面（１０ａ）に沿って配列された一対の端子（端子３０）と、
前記一対の端子（３０）に対してそれぞれ接点部（端子片３３，接触片５１）が接触する方向に弾性的に付勢されて接触され、前記一対の端子（３０）同士を導通させる導通部材（導通板５０）と、
前記一対の端子（３０）の配列方向に沿って移動可能に設けられた絶縁材料からなる絶縁移動部材（絶縁板４０）と、
を有し、
前記絶縁移動部材（絶縁板４０）は、前記操作部材（レバー８０，８０Ａ）の操作によって、前記端子（３０）と前記導通部材（導通板５０）との接点部間に介在して前記スイッチ部（メインスイッチ部ＭＳｗ）をオフ状態とする遮断位置と、前記接点部間から外れて前記スイッチ部（メインスイッチ部ＭＳｗ）をオン状態とする通電位置との間で移動される
ことを特徴とする電源回路遮断装置（１，１Ａ）。
［２］  前記スイッチ部（メインスイッチ部ＭＳｗ）は、前記ハウジング（１０，１０Ａ）により区画形成されて周囲が覆われた収容空間（Ｓ）内に収容されている
ことを特徴とする上記［１］に記載の電源回路遮断装置（１，１Ａ）。
［３］  前記絶縁移動部材（絶縁板４０）が前記通電位置に配置された通電状態においては前記スイッチ部（メインスイッチ部ＭＳｗ）とともにオン状態とされ、前記絶縁移動部材（絶縁板４０）が前記遮断位置へ変位する途中で前記スイッチ部（メインスイッチ部ＭＳｗ）がオン状態に維持される仮遮断状態においてはオフ状態とされることによって前記スイッチ部（メインスイッチ部ＭＳｗ）の回路の通電を遮断するサブスイッチ部（ＳＳｗ）を備える
ことを特徴とする上記［１］または［２］に記載の電源回路遮断装置（１，１Ａ）。
［４］  前記端子（３０）及び前記導通部材（導通板５０）は、前記遮断位置に配置された前記絶縁移動部材（絶縁板４０）によって、互いの接触面が覆われる
ことを特徴とする上記［１］〜［３］のいずれか一つに記載の電源回路遮断装置（１，１Ａ）。
［５］  前記操作部材は、前記ハウジング（１０，１０Ａ）に回動可能に装着されるレバー（８０，８０Ａ）を有し、
前記レバー（８０，８０Ａ）の回動力によって、前記絶縁移動部材（絶縁板４０）が移動される
ことを特徴とする上記［１］〜［４］のいずれか一つに記載の電源回路遮断装置（１，１Ａ）。
［６］  前記レバー（８０Ａ）と前記ハウジング（１０Ａ）との間には、前記ハウジング（１０Ａ）に対して前記レバー（８０Ａ）を遮断操作位置のみで離脱可能とするレバー外れ防止機構が設けられることを特徴とする上記［５］に記載の電源回路遮断装置（１Ａ）。
［７］  前記レバー外れ防止機構は、
前記レバー（８０Ａ）及び前記ハウジング（１０Ａ）の何れか一方に設けられたガイド突起（８７）と、
前記レバー（８０Ａ）及び前記ハウジング（１０Ａ）の何れか他方に設けられ、前記ガイド突起（８７）に係合することで前記ハウジング（１０Ａ）に対して前記レバー（８０Ａ）を遮断操作位置のみで離脱可能とするガイド溝（２０）と、
を備えることを特徴とする上記［６］に記載の電源回路遮断装置（１Ａ）。
【符号の説明】
【００９５】
１…電源回路遮断装置
１０…ハウジング
１０ａ…底面
３０…端子
４０…絶縁板（絶縁移動部材）
５０…導通板（導通部材）
８０…レバー（操作部材）
ＭＳｗ…メインスイッチ部（スイッチ部）
Ｓ…収容空間
ＳＳｗ…サブスイッチ部
【図１】
2020202173.tif 000003
【図２】
2020202173.tif 000004
【図３】
2020202173.tif 000005
【図４】
2020202173.tif 000006
【図５】
2020202173.tif 000007
【図６】
2020202173.tif 000008
【図７】
2020202173.tif 000009
【図８】
2020202173.tif 000010
【図９】
2020202173.tif 000011
【図１０】
2020202173.tif 000012
【図１１】
2020202173.tif 000013
【図１２】
2020202173.tif 000014